(57)【要約】【課題】アンテナシステムのコンパクト化を図る。【解決手段】アンテナシステム５０は、第１アンテナ素子７４ａ，７４ｂ及び第１アンテナ素子７４ａ，７４ｂに接続された無線装置８０を有するアクティブアンテナシステムと、第２アンテナ素子７１ａ，７１ｂを有するパッシブアンテナと、を内蔵している。アンテナシステム５０は、無線装置８０から発生した熱を放熱する第１放熱器９２ａ，９４を備える。第１アンテナ素子７４ａ，７４ｂは、パッシブアンテナの下方に配置されている。無線装置８０は、パッシブアンテナの下方かつ第１アンテナ素子７４ａ，７４ｂの背面側に配置された第１回路７７ａ，７７ｂを含む。第１放熱器９２ａ，９４は、少なくとも第１回路７７ａ，７７ｂに接するよう設けられているとともに、パッシブアンテナの位置に至るように第１回路７７ａ，７７ｂよりも上方に延びて形成されている。【選択図】図５
2017063288.tif 000002
【特許請求の範囲】
【請求項１】
第１アンテナ素子及び第１アンテナ素子に接続された無線装置を有するアクティブアンテナシステムと、
第２アンテナ素子を有するパッシブアンテナと、
を内蔵したアンテナシステムであって、
前記無線装置から発生した熱を放熱する第１放熱器を備え、
前記第１アンテナ素子は、前記パッシブアンテナの下方に配置され、
前記無線装置は、前記パッシブアンテナの下方かつ前記第１アンテナ素子の背面側に配置された第１回路を含み、
前記第１放熱器は、少なくとも前記第１回路に接するよう設けられているとともに、前記パッシブアンテナの位置に至るように前記第１回路よりも上方に延びて形成されている
アンテナシステム。
【請求項２】
前記第１放熱器は、前記第１回路よりも背面側に設けられているとともに、前記パッシブアンテナの背面側に至るように上方に延びて形成されている
請求項１に記載のアンテナシステム。
【請求項３】
前記無線装置から発生した熱を放熱する第２放熱器を更に備え、
前記無線装置は、前記第１アンテナ素子と前記第１回路との間に配置された第２回路を含み、
前記第２放熱器は、少なくとも前記第２回路に接するよう前記第２回路の側方に設けられているとともに、前記パッシブアンテナの側方に至るように前記第２回路よりも上方に延びて形成されている
請求項２に記載のアンテナシステム。
【請求項４】
前記第１回路は、前記第２回路よりも放熱量が多い回路であり、前記第１放熱器及び前記第２放熱器の両方に接している
請求項３に記載のアンテナシステム。
【請求項５】
前記第２放熱器は、前記第１アンテナ素子及び前記第２アンテナ素子よりも背面側にだけ位置するよう設けられている
請求項３又は４に記載のアンテナシステム。
【請求項６】
前記無線装置は、前記パッシブアンテナの側方に配置された第３回路を含み、
前記第１放熱器は、前記第３回路に更に接するよう設けられている
請求項１〜５のいずれか１項に記載のアンテナシステム。
【発明の詳細な説明】
【技術分野】
【０００１】
本発明は、アンテナシステムに関する。
【背景技術】
【０００２】
従来から、移動通信システム等の無線通信システムに用いられる基地局では、無線周波数の信号を処理する無線装置であるリモートレディオヘッド（Ｒｅｍｏｔｅ  Ｒａｄｉｏ  Ｈｅａｄ：ＲＲＨ）と、ベースバンド信号に関する処理を行うベースバンドユニット（Ｂａｓｅ  Ｂａｎｄ  Ｕｎｉｔ：ＢＢＵ）とを分離した構成が採用されている（例えば、特許文献１参照）。
【０００３】
ＲＲＨには、屋外に設置されたアンテナが同軸ケーブル等を介して接続される。ＲＲＨと、アンテナとの間においては、アンテナが送受信する無線周波数の送受信信号が同軸ケーブル等を介して伝送される。
また、ＲＲＨと、ＢＢＵとの間は光ファイバケーブル等によって接続され、両者の間においては光通信等によってデジタルのベースバンド信号が伝送される。
【先行技術文献】
【特許文献】
【０００４】
【特許文献１】特開２０１２−１４２７１８号公報
【発明の概要】
【発明が解決しようとする課題】
【０００５】
近年、無線通信システムにおいては、ＲＲＨとしての機能を内蔵したアクティブアンテナシステムが提案されている。アクティブアンテナシステムは、複数のアンテナ素子と、無線装置として機能する回路とを、一体化したものである。一方、ＲＲＨと分離して設けられた従来のアンテナは、パッシブアンテナと呼ばれる。
【０００６】
ここで、携帯電話システム等の無線通信システムにおいて、アクティブアンテナシステムの採用によって新たなサービスの提供を開始する際、パッシブアンテナを用いた既存のサービスの提供も継続しなければならないことがある。このため、パッシブアンテナとアクティブアンテナシステムとを併存させる必要がある。
【０００７】
しかし、既存のパッシブアンテナを設置したまま、新たにアクティブアンテナシステムを設置することは必ずしも容易ではない。例えば、既存のパッシブアンテナの近傍にアクティブアンテナシステムを別途設置しようとしても十分なスペースが確保できないおそれがある。したがって、より少ないスペースで、パッシブアンテナ及びアクティブアンテナシステムを設置できることが望まれる。
【課題を解決するための手段】
【０００８】
一の観点からみた本発明は、第１アンテナ素子及び第１アンテナ素子に接続された無線装置を有するアクティブアンテナシステムと、第２アンテナ素子を有するパッシブアンテナと、を内蔵したアンテナシステムである。アクティブアンテナシステムとパッシブアンテナとが内蔵されていることで、別々に設置する場合に比べてアンテナシステムがコンパクトになる。後述の実施形態で示す様々な工夫により、アンテナシステムの更なるコンパクト化が可能である。
【発明の効果】
【０００９】
本発明によれば、アンテナシステムをコンパクト化できる。
【図面の簡単な説明】
【００１０】
【図１】パッシブアンテナを有する基地局とパッシブアンテナ及びアクティブアンテナシステムを有する基地局の説明図である。
【図２】アンテナシステムのブロック図である。
【図３】アンテナシステムの筐体の斜視図である。
【図４】レドームを取り外したアンテナシステムを示し、（ａ）は正面図であり、（ｂ）は（ａ）のＢ１−Ｂ１線断面図であり、（ｃ）は（ａ）のＣ１−Ｃ１線断面であり、（ｄ）は底面図である。
【図５】レドームを取り外したアンテナシステムの一部破断斜視図である。
【図６】レドームを取り外したアンテナシステムを示し、（ａ）は正面図であり、（ｂ）は（ａ）のＢ２−Ｂ２線断面図であり、（ｃ）は（ａ）のＣ２−Ｃ２線断面であり、（ｄ）は底面図である。
【図７】レドームを取り外したアンテナシステムの一部破断斜視図である。
【発明を実施するための形態】
【００１１】
［１．実施形態の概要］
（１）実施形態に係るアンテナシステムは、第１アンテナ素子及び第１アンテナ素子に接続された無線装置を有するアクティブアンテナシステムと、第２アンテナ素子を有するパッシブアンテナと、を内蔵している。アクティブアンテナシステムとパッシブアンテナとが内蔵されていることで、両者が一体化されたアンテナシステムとなり、それぞれが別体のアクティブアンテナシステムとパッシブアンテナを別々に設置する場合に比べてアンテナシステムがコンパクトになる。ここで、「内蔵している」という用語は、アンテナシステム内外を隔てる部材の内部に設けられているという意味で使用される。アンテナシステム内外を隔てる部材とは、例えば、アンテナシステムの筐体である。筐体の一部は、アンテナ素子を保護するレドームとして構成されていてもよい。
【００１２】
アンテナシステムは、無線装置から発生した熱を放熱する第１放熱器を備える。第１放熱器により、無線装置から発生した熱の放熱が可能である。第１放熱器及び後述の第２放熱器は、例えば、アンテナシステム内外を隔てる部材の外部に露出していても良いし、アンテナシステム内外を隔てる部材の内部に設けられていても良い。
【００１３】
第１アンテナ素子は、パッシブアンテナの下方に配置される。無線装置は、パッシブアンテナの下方かつ前記第１アンテナ素子の背面側に配置された第１回路を含む。パッシブアンテナの下方かつ第１アンテナ素子の背面側のスペースを、第１回路の配置スペースとすることで、パッシブアンテナの下方かつ第１アンテナ素子の背面側のスペースを有効活用できる。
【００１４】
第１放熱器は、少なくとも第１回路に接するよう設けられている。第１放熱器は、パッシブアンテナの位置に至るように第１回路よりも上方に延びて形成されている。第１放熱器が上方に延びて形成されていることで、第１放熱器を大きくすることができ、放熱効率を高くすることができる。しかも、第１放熱器を第１回路よりも上方に延ばしても、第１回路の上方にはパッシブアンテナが配置されているため、アンテナシステム全体としてみた場合の大型化が抑制される。
【００１５】
（２）第１放熱器は、第１回路よりも背面側に設けられている。第１放熱器は、パッシブアンテナの背面側に至るように上方に延びて形成されている。アンテナシステム正面は、第１アンテナ素子及び第２アンテナ素子による放射面となるため、第１放熱器が背面側に設けられていることで、第１放熱器の存在が、第１アンテナ素子及び第２アンテナ素子のアンテナ性能へ影響するのを抑制することができる。また、背面側にある第１放熱器は、アンテナ性能への影響が少ないので、比較的大きく形成することができ、放熱効率を高くし易い。
【００１６】
（３）アンテナシステムは、無線装置から発生した熱を放熱する第２放熱器を更に備える。第２放熱器により、無線装置から発生した熱を更に効率良く放熱できる。無線装置は、第１アンテナ素子と第１回路との間に配置された第２回路を含む。第１アンテナ素子と第１回路との間のスペースを、第２回路の配置スペースとすることで、第１アンテナ素子と第１回路との間のスペースを有効活用できる。
【００１７】
第２放熱器は、少なくとも第２回路に接するよう第２回路の側方に設けられている。第２回路の背面側には第１回路が配置されているが、第２放熱器を第２回路の側方に設けることで、第１回路との干渉を回避しつつ第２回路のための第２放熱器を設けることができる。第２放熱器が、パッシブアンテナの側方に至るように第２回路よりも上方に延びて形成されていることで、第２放熱器を大きくすることができ、放熱効率を高くすることができる。しかも、第２放熱器を第２回路よりも上方に延ばしても、第２回路の上方にはパッシブアンテナが配置されているため、アンテナシステム全体としてみた場合の大型化が抑制される。
【００１８】
（４）第１回路が第２回路よりも放熱量が多い回路である場合、第１回路が第１放熱器及び第２放熱器の両方に接していることで、第１回路から発生した熱を効率的に放熱できる。
【００１９】
（５）第２放熱器は、第１アンテナ素子及び第２アンテナ素子よりも背面側にだけ位置するよう設けられている。これにより、第２放熱器の存在が、第１アンテナ素子及び第２アンテナ素子のアンテナ性能へ影響するのを抑制することができる。
【００２０】
（６）無線装置は、パッシブアンテナの側方に配置された第３回路を含む。第１放熱器は、第３回路に更に接するよう設けられている。これにより、第１放熱器は、第３回路から発生した熱も放熱できる。第３回路は、第２放熱器に接していても良く、第１放熱器及び第２放熱器の両方に接していても良い。
【００２１】
［２．実施形態の詳細］
以下、実施形態の詳細について図面を参照しながら説明する。
【００２２】
図１（ａ）は、パッシブアンテナ３０だけを有する基地局１００を示している。基地局１００は、例えば、２ＧＨｚ帯及び／又は８００ＭＨｚ帯で通信を行う。基地局１００は、ベースバンド信号の処理を行う第１ベースバンドユニット（第１ＢＢＵ）１０と、無線周波数（２ＧＨｚ帯及び／又は８００ＭＨｚ帯）の信号を処理する無線装置であるリモートレディオヘッド（ＲＲＨ）２０と、パッシブアンテナ３０と、を備えている。第１ＢＢＵ１０とＲＲＨ２０との間は、ケーブル１１によって接続され、ベースバンド信号が伝送される。ケーブル１１は、例えば、光ファイバケーブルである。ＲＲＨ２０とパッシブアンテナ３０との間は、ケーブル２１によって接続され無線周波数の送受信信号が伝送される。ケーブル２１は、例えば、同軸ケーブルである。
【００２３】
パッシブアンテナ３０は、より高く位置できるよう、建物の屋上等に設置されたアンテナ取付支柱の上部に取り付けられる。ＲＲＨ２０は、パッシブアンテナ３０の近傍に設置されるのが好ましいため、例えば、アンテナ取付支柱の下部付近に設置される。第１ＢＢＵ１０は、ＲＲＨ２０から離れていても良いため、例えば、建物の地下に設置することができる。
【００２４】
図１（ｂ）は、実施形態に係るアンテナシステム５０を備えた基地局２００を示している。図１（ｂ）の基地局２００は、図１（ａ）の基地局１００のパッシブアンテナ３０を、実施形態に係るアンテナシステム５０に置き換えて、アンテナシステム５０にＲＲＨ２０と第２ＢＢＵ４０とを接続したものである。アンテナシステム５０は、例えば、パッシブアンテナ３０と同様にアンテナ取付支柱に設置される。
【００２５】
アンテナシステム５０は、パッシブアンテナとアクティブアンテナシステムとを内蔵している。アンテナシステム５０のパッシブアンテナは、図１（ａ）のパッシブアンテナ３０と同様に機能し、２ＧＨｚ帯及び／又は８００ＭＨｚ帯の信号を送受信する。アンテナシステム５０のパッシブアンテナには、２ＧＨｚ帯及び／又は８００ＭＨｚ帯の信号を処理するＲＲＨ２０が接続される。アンテナシステム５０のアクティブアンテナシステムは、パッシブアンテナとは別の周波数帯（ここでは、３．５ＧＨｚ帯）の信号を送受信する。アンテナシステム５０のアクティブアンテナシステムには、ケーブル４１を介して第２ベースバンドユニット（第２ＢＢＵ）４０が接続される。
【００２６】
図１（ａ）のパッシブアンテナ３０を、図１（ｂ）のアンテナシステム５０に置き換えることで、２ＧＨｚ帯及び／又は８００ＭＨｚ帯の通信サービスを維持したまま、アクティブアンテナシステムによる３．５ＧＨｚ帯の通信サービスを新規に提供することができる。
【００２７】
図２に示すように、アンテナシステム５０は、パッシブアンテナとして機能するパッシブアンテナユニット７１と、複数のアクティブアンテナユニット７３ａ，７３ｂと、無線装置８０と、を備えている。アクティブアンテナ素子ユニット７３ａ，７３ｂ及び無線装置８０の組み合わせが、アクティブアンテナシステムとして機能を発揮する。
【００２８】
アンテナユニット７１及びアクティブアンテナ素子ユニット７３ａ，７３ｂは、それぞれ、１又は複数のアンテナ素子、反射板、給電線などを有して構成される。これらの７１，７３ａ，７３ｂは、他のユニット又は無線装置８０に対して電磁的に遮蔽するためのシールド部材を有していても良い。
【００２９】
パッシブアンテナユニット７１、複数のアクティブアンテナ素子ユニット７３ａ，７３ｂ、及び無線装置８０は、アンテナシステム５０の筐体９０に内蔵されている。アンテナシステム５０は、パッシブアンテナ及びアクティブアンテナシステムの両方の機能を有するが、筐体９０内に内蔵されて一体的なシステムとして構成されているため、コンパクトである。また、それぞれが別体のアクティブアンテナシステムとパッシブアンテナを別々に設置する場合に比べて外観上良好となる。
【００３０】
図３に示すように、筐体９０は、背面側のベース部９２と、正面側のレドーム９１と、を有している。ベース部９２には、パッシブアンテナユニット７１、複数のアクティブアンテナ素子ユニット７３ａ，７３ｂ、及び無線装置８０が取り付けられる。筐体９０は、背面部９２ａと、左側面部９２ｂと、右側面部９２ｃと、上面部９２ｄと、下面部９２ｅと、を備えている。背面部９２は、矩形状に形成されている。左側面部９２ｂ、右側面部９２ｃ、上面部９２ｄ、及び下面部９２ｅは、矩形状の背面部９２の左右上下辺からそれぞれ正面へ向けて延設されている。ベース部９２は、正面が開口している。
【００３１】
ベース部９２は、無線装置８０から発生する熱を放熱する放熱器として機能する。ベース部９２は、熱伝導性の高い材料、例えばアルミニウム、によって形成されている。ベース部９２のうち、背面部９２ａは第１放熱器として機能し、左右側面部９２ｂ，９２ｃは第２放熱器として機能する。放熱効率を高めるため、背面部９２ａには、第１放熱フィン９４が一体形成され、左右側面部９２ｂ，９２ｃには、第２放熱フィン９５ａ，９５ｂが一体形成されている。第１放熱フィン９４は、第１放熱器の一部として機能し、第２放熱フィン９５ａ，９５ｂは第２放熱器の一部として機能する。
【００３２】
放熱フィンは、各面９２ａ，９２ｂ，９２ｃから外方突出状に複数形成され、上下方向に長く延びて形成されている。背面部９２ａは、左右側面部９２ｂ，９２ｃに比べて面積が大きいため、放熱フィンを数多く形成でき、放熱効率が高い。
【００３３】
ベース部９２の下面部９２ｅには、複数のコネクタ６１〜６５が設けられている。これらのコネクタ６１〜６５には、ＲＲＨ２０に繋がるケーブル２１が接続される第１コネクタ６１，６２と、第２ＢＢＵ４０に繋がるケーブル４１が接続される第２コネクタ６３，６４と、電源ケーブルが接続される第３コネクタ６５と、が含まれる。コネクタ６１〜６３は、アンテナシステム５０の下側に設けられていることで、一般にアンテナシステム５０の下方に設置されるＲＲＨ２０及び第２ＢＢＵ４０とのケーブル接続が容易となる。
【００３４】
レドーム９１は、ベース部９２の正面側を覆うように筐体９０に取り付けられ、パッシブアンテナユニット７１、複数のアクティブアンテナ素子ユニット７３ａ，７３ｂを保護する。レドーム９１は、電波が通過可能な材料、例えば、合成樹脂、ガラス、又はセラミックスなどによって形成されている。
【００３５】
なお、本実施形態では、レドーム９１は、ベース部９２に取り付けられているが、放熱フィン付のベース部９２を覆うカバーを更に設けて、そのカバーにレドーム９１を取り付けても良い。この場合、ベース部９２が有する放熱フィン９４，９５ａ，９５ｂが外部に露出せず、外観上良好となる。
【００３６】
図２に戻り、アンテナシステム５０が有する無線装置８０は、複数のアクティブアンテナ素子ユニット７３ａ，７３ｂに対応して設けられた複数の送受信器７５ａ，７５ｂと、デジタル処理部７７と、電源装置７９と、を備えている。デジタル処理部７７は、第２ＢＢＵ４０との間で、ベースバンド信号を含む信号のやりとりを行う。デジタル信号処理部７７は、デジタル信号処理部７７は、ベースバンド信号に対してデジタル信号処理を行う。また、デジタル処理部７７は、送信信号に対するＤＡ変換及び受信信号に対するＡＤ変換も行う。送受信器７５ａ，７５ｂは、それぞれ、増幅器、周波数変換器などを備えている。送受信器７５ａ，７５ｂは、送信信号に対して周波数変換及び増幅などを行い、受信信号に対して増幅及び周波数変換などを行う。
【００３７】
電源装置７９は、送受信器７５ａ，７５ｂ、及びデジタル信号処理部７７に対して電源供給を行う。図２のアンテナシステム５０では、一つのデジタル信号処理部７７は、二つの第１回路モジュール７７ａ，７７ｂとして構成され、２つの送受信器７５ａ，７５ｂは、二つの第２回路モジュールとして構成され、一つの電源装置７９は、一つの第３回路モジュールとして構成されている。デジタル信号処理部７７を構成する二つの第１回路モジュール７７ａ，７７ｂは、デジタル信号処理部７７を機能的に二つに分けたものである。例えば、一方の第１回路モジュール７７ａは、第２ＢＢＵ４０との通信処理機能を担い、他方の第１デジタル回路モジュール７７ｂは、ＤＡ変換及びＡＤ変換機能を担うことができる。
【００３８】
ここで、回路モジュールとは、例えば、基板の上にＩＣチップなどの回路部品を設けて一つのパッケージとしたものである。図２のアンテナシステム５０では、無線装置は５つの回路モジュールを有して構成されている。以下、回路モジュールを単に「回路」ともいう。
【００３９】
アクティブアンテナ素子ユニット７３ａ，７３ｂは、それぞれ、無線装置８０に接続された水平偏波アンテナ素子７４ａ及び垂直偏波アンテナ素子７４ｂを有している。つまり、本実施形態では、２つのアクティブアンテナ素子ユニット７３ａ，７３ｂは、それぞれ、２つのアンテナ素子を有しており、アクティブアンテナシステム全体としては計４つのアンテナ素子を有している。したがって、図２のアンテナシステム５０に含まれるアクティブアンテナシステムは、４×４ＭＩＭＯ通信が可能である。なお、アクティブアンテナ素子ユニット７３ａ，７３ｂが有するアンテナ素子を第１アンテナ素子ともいう。
【００４０】
アンテナユニットの大きさは、送受信される信号の周波数によって決定され、周波数が高いほどアンテナユニットの大きさは小さくなる。例えば、パッシブアンテナユニット７１は、２ＧＨｚ帯及び８００ＭＨｚ帯の２波共用である場合、パッシブアンテナユニット７１は、２ＧＨｚ帯用のアンテナ素子７１ｂと、８００ＭＨｚ帯用のアンテナ素子７１ａと、を含む。この場合、パッシブアンテナユニット７１の大きさは、より低い周波数である８００ＭＨｚ帯用のアンテナ素子７１ａの大きさで決まるため、比較的大きくなる。これに対して、アクティブアンテナユニット７３ａ，７３ｂは、３．５ＧＨｚ帯用であるため、パッシブアンテナユニット７１よりも小さくなる。本実施形態では、複数のアクティブアンテナ素子ユニット７３ａ，７３ｂの大きさの総和よりも、一つのパッシブアンテナユニット７１のほうが大きくなる。なお、パッシブアンテナユニット７１が有するアンテナ素子７１ａ，７１ｂを第２アンテナ素子ともいう。第２アンテナ素子７１ａ，７１ｂは、ＲＲＨ２０に接続される。
【００４１】
本実施形態のアンテナシステム５０は、３つのユニット７１，７３ａ，７３ｂと、５つの回路モジュール７５ａ，７５ｂ，７７ａ，７７ｂ，７９と、を構成要素として有している。これらの構成要素７１，７３ａ，７３ｂ，７５ａ，７５ｂ，７７ａ，７７ｂ，７９は、筐体９０の内部空間に配置される。図４及び図５は、これらの構成要素の配置例を示している。なお、図４及び図５では、レドーム９１を取り外した状態を示している。
【００４２】
第１アンテナ素子７４ａ，７４ｂを有する複数のアクティブアンテナ素子ユニット７３ａ，７３ｂは、より大きいパッシブアンテナユニット７１の下方に配置されている。アクティブアンテナ素子ユニット７３ａ，７３ｂとパッシブアンテナユニット７１とを並べて配置する場合、アクティブアンテナ素子ユニット７３，７３ｂを、パッシブアンテナユニット７１の下方に配置するのが好適である。仮に、複数のアクティブアンテナ素子ユニット７３ａ，７３ｂを、パッシブアンテナユニット７１の左右側方に配置しようとすると、アンテナシステム５０の横幅が大きくなり易いため、避けるべきである。
【００４３】
また、仮に、アクティブアンテナ素子ユニット７３ａ，７３ｂを、パッシブアンテナユニット７１の上方に配置すると、アクティブアンテナ素子ユニット７３ａ，７３ｂに近接配置されるべき無線装置８０もパッシブアンテナユニット７１の上方に配置することになる。この場合、無線装置８０への接続用の第２コネクタ６３，６４及び第３コネクタ６５を無線装置８０近傍に位置させようとすると、コネクタ６３，６４，６５を筐体９０の上面部９２ｄに設ける必要が生じ、ケーブル４１及び電源ケーブルをコネクタ６３，６４，６５に接続するのが困難になる。一方、無線装置８０をパッシブアンテナユニット７１の上方に配置しつつ、コネクタ６３，６４，６５を筐体９０の下面部９２ｄに設けると、上方の無線装置８０から下方のコネクタ６３，６４，６５までを結ぶケーブルを筐体９０に設ける必要が生じ、コンパクト化を妨げ好ましくない。
【００４４】
これに対して、アクティブアンテナ素子ユニット７３ａ，７３ｂを、パッシブアンテナユニット７１の下方に配置すると、無線装置８０も下方に配置でき、無線装置８０が筐体下面のコネクタ６３，６４，５に近接して好適である。したがって、例えば、回路モジュール７７１，７９に、コネクタ６３，６４，６５を直接取り付けることもでき、回路モジュール７７１，７９とコネクタ６３，６４，６５とを結ぶケーブルを不要化でき、コンパクト化が容易となる。
【００４５】
アクティブアンテナ素子ユニット７３ａ，７３ｂは、パッシブアンテナユニット７１と比べた場合、正面視での大きさ（図４（ａ）参照）が小さいだけでなく、奥行き方向長さ（側面視での前後方向長さ；図４（ｂ）（ｃ）参照）も小さい。そこで、アクティブアンテナ素子ユニット７３ａ，７３ｂを、パッシブアンテナユニット７１の奥行方向長さの範囲内において、正面寄りの位置に配置することで、筐体内９０内には、パッシブアンテナユニット７１の下方、かつ第１アンテナ素子７４ａ，７４ｂを有するアクティブアンテナ素子ユニット７３ａ，７３ｂの背面側に、空間が生じる。本実施形態では、パッシブアンテナユニット７１の下方かつアクティブアンテナ素子ユニット７３ａ，７３ｂの背面側の空間を、無線装置８０を構成する回路モジュールの配置空間の一部として有効活用することで、アンテナシステム５０の大型化を抑制している。
【００４６】
本実施形態において、アクティブアンテナ素子ユニット７３ａ，７３ｂの背面側の空間には、デジタル信号処理部７７として機能する第１回路モジュール（第１回路）７７ａと、送受信器として機能する第２回路モジュール（第２回路）７５ａ，７５ｂと、が配置される。
【００４７】
第１回路モジュール７７ａ，７７ｂは、アクティブアンテナ素子ユニット７３ａ，７３ｂとの間に前後方向に間隔をおいて配置され、第１回路モジュール７７ａ，７７ｂとアクティブ素子ユニット７３ａ，７３ｂとの間の空間に、第２回路モジュール７５ａ，７５ｂが配置される。二つの第１回路モジュール７７ａ，７７ｂは、左右方向に並べて配置される。第１回路モジュール７７ａ，７７ｂは、第１放熱器として機能する背面部９２ａに接するように、ベース部９２に取り付けられる。換言すると、第１放熱器９２ａは、第１回路モジュール７７ａ，７７ｂの背面側に設けられている。なお、第１回路モジュール７７ａ，７７ｂは、第１回路モジュール７７ａ，７７ｂが有する基板（図示省略）が、背面部９２ａと並行になるように配置される。なお、図５においては、回路モジュール７７ａ，７７ｂ，７５ａ，７５ｂ，７９において、放熱器９２ａ，９２ｂ，９２ｃと接する面をハッチングで示した。ただし、ハッチングされている面全体が、放熱器９２ａ，９２ｂ，９２ｃと接している必要はない。
【００４８】
第１回路モジュール７７ａ，７７ｂは、第１放熱器として機能する背面部９２ａの下部に取り付けられているため、第１放熱器９２ａ，９４は、第１回路モジュール７７ａ，７７ｂよりも上方に延びていることになる。第１放熱器９２ａ，９４は、第１回路モジュール７７ａ，７７ｂの大きさに比べて非常に大きい放熱器となっており、放熱効率がよい。特に、本実施形態では、第１放熱器９２ａ，９４は、パッシブアンテナユニット７１を収容する筐体９０の一部でもあるため、第１放熱器９２ａ，９４は、パッシブアンテナユニット７１の背面側においてユニット７１の上端部に至るまで延びており、第１放熱器９２ａ，９４を非常に大きくできる。また、発熱源である第１回路モジュール７７ａ，７７ｂから上方に第１放熱器９２ａ，９４が広がっていることで放熱効率が良くなる。また、背面部９２ａが有する放熱フィン９４が上下方向に長く形成されているため、更に放熱効率がよくなっている。
【００４９】
本実施形態では、第１放熱器９２ａ，９４を大きく形成しても、第１放熱器９２ａ，９４は、パッシブアンテナ７１を収容する筐体９０の一部でもあるため、アンテナシステム５０全体の大型化を抑制できる。
【００５０】
第２回路モジュール７５ａ，７５ｂは、第１回路モジュール７７ａ，７７ｂよりも正面側に配置されているため、第１回路モジュール７７ａ，７７ｂの背面側ある背面部９２（第１放熱器）に接することができない。そこで、第２回路モジュール７５ａ，７５ｂは、それぞれ、第２放熱器として機能する左右側面部９２ｂ，９２ｃに接するように、ベース部９２に取り付けられる。換言すると、第２放熱器９２ｂ，９２ｃ，９５ａ，９５ｂは、第２回路モジュール７５ａ，７５ｂの側方に設けられている。
【００５１】
第２回路モジュール７５ａ，７５ｂは、第２放熱器として機能する左右側面部９２ｂ，９２ｃの下部に取り付けられているため、第２放熱器９２ｂ，９２ｃ，９５ａ，９５ｂは、第２回路モジュール７５ａ，７５ｂの大きさに比べて非常に大きい放熱器となっており、放熱効率が良い。特に、本実施形態では、第２放熱器９２ｂ，９２ｃ，９５ａ，９５ｂは、パッシブアンテナユニット７１を収容する筐体９０の一部でもあるため、第２放熱器９２ｂ，９２ｃ，９５ａ，９５ｂは、パッシブアンテナユニット７１の側方においてユニット７１の上端部に至るまで延びており、第２放熱器９２ｂ，９２ｃ，９５ａ，９５ｂを非常に大きくできる。また、発熱源である第２回路モジュール７５ａ，７５ｂから上方に第２放熱器９２ｂ，９２ｃ，９５ａ，９５ｂが広がっていることで放熱効率が良くなる。また、左右側面部９２ｂ，９２ｃが有する放熱フィン９５ａ，９５ｂが上下方向に長く形成されているため、更に放熱効率がよくなっている。
【００５２】
本実施形態では、第２放熱器９２ｂ，９２ｃ，９５ａ，９５ｂを大きく形成しても、第２放熱器９２ｂ，９２ｃ，９５ａ，９５ｂは、パッシブアンテナ７１を収容する筐体９０の一部でもあるため、アンテナシステム５０全体の大型化を抑制できる。
【００５３】
ここで、第１回路モジュール７７ａ，７７ｂ及び第２回路モジュール７５ａ，７５ｂの発熱量を比較すると、第１回路モジュール７７ａ，７７ｂのほうが、発熱量が多い。発熱量が多い第１回路モジュール７７ａ，７７ｂを、発熱効率の良い第１放熱器である背面部９２ａに接して設けることで、効率的に放熱できる。また、二つの第１回路モジュール７７ａ，７７ｂのうち、一方の回路モジュール７７ｂは、第１放熱器である背面部９２ａだけでなく、第２放熱器である右側面部９２ｃにも接しており、放熱効率が更に高くなっている。
【００５４】
ここで、パッシブアンテナユニット７１には、第２アンテナ素子７１ａ，７１ｂのほか、第２アンテナ素子７１ａ，７１ｂの背面側に設けられた反射板７１ｃと、第２アンテナ素子７１ａ，７１ｂの給電点から、反射板７１ｃの背後を通って、第１コネクタ６１，６２に至る給電線７１ｄと、が設けられている。同様に、アクティブアンテナ素子ユニット７３ａ，７３ｂには、第１アンテナ素子７４ａ，７４ｂのほか、第１アンテナ素子７４ａ，７４ｂの背面側に設けられた反射板７４ｃと、第１アンテナ素子７４ａ，７４ｂの給電点から、反射板７４ｃの背後を通って、第２回路モジュール７５ａ，７５ｂに至る給電線（図示省略）と、が設けられている。
【００５５】
本実施形態において、第２放熱器として機能する左右側面部９２ｂ，９２ｃの正面方向への突出量は、反射板７１ｃ、７４ｃの位置又は反射板７１ｃ，７４ｃよりも背面側の位置となっている。これにより、第２放熱器として機能する放熱フィン９５ａ，９５ｂが、反射板７１ｃ，７４ｃよりも正面側に位置することが回避されている。これにより、第２放熱器９２ｂ，９２ｃ，９５ａ，９５ｂは、第１アンテナ素子７３ａ，７３ｂ及び第２アンテナ素子７１ａ，７１ｂよりも背面側だけに位置し、金属製の放熱器が、アンテナ性能に影響するのを抑制することができる。
【００５６】
電源装置として機能する第３回路モジュール７９は、パッシブアンテナユニット７１の下方ではなく、パッシブアンテナユニット７１の側方（左側方）に配置されている。第２回路モジュール７９は、上下方向に長く形成されて、左右幅が小さくなるよう形成されているため、第３回路モジュール７９をパッシブアンテナユニット７１の側方に配置しても、アンテナシステム５０全体の左右幅が大きくなるのが抑制されている。
【００５７】
第３回路モジュール７９は、第１放熱器として機能する背面部９２ａに接するように、ベース部９２に取り付けられる。換言すると、第１放熱器９２ａは、第３回路モジュール７９の背面側に設けられている。なお、第３回路モジュール７９は、第３回路モジュール７９が有する基板（図示省略）が、背面部９２ａと並行になるように配置される。
【００５８】
第３回路モジュール７９は、第１回路モジュール７７ａ，７７ｂと同様に、第２回路モジュール７５ａ，７５ｂよりも発熱量が多い。発熱量が多い第３回路モジュール７９を、発熱効率の良い第１放熱器である背面部９２ａに接して設けることで、効率的に放熱できる。また、第３回路モジュール７９は、第１放熱器である背面部９２ａだけでなく、第２放熱器である左側面部９２ｂにも接しており、放熱効率が更に高くなっている。なお、第１回路モジュール７７ａは、第３回路モジュール７９と他の第１回路モジュール７７ｂとの間に配置されているため、左右側面部９２ｂ，９２ｃには接していない。
【００５９】
図６及び図７は、アンテナシステム５０の変形例を示している。変形例に関し、特に説明しない点は、図１〜図５に示したものと同様である。変形例に係るアンテナシステム５０では、アクティブアンテナシステムが８×８ＭＩＭＯ通信が可能である。このため、変形例に係るアンテナシステム５０は、４つのアクティブアンテナ素子ユニット７３ａ，７３ｂ，７３ｃ，７４ｄを備え、各アクティブアンテナ素子ユニットは、７３ａ，７３ｂ，７３ｃ，７４ｄは、それぞれ、無線装置８０に接続された水平偏波アンテナ素子７４ａ及び垂直偏波アンテナ素子７４ｂを有しており、合計８つのアンテナ素子を有している。
【００６０】
変形例に係るアンテナシステム５０が有する無線装置８０は、８つのアンテナ素子が設けられていることに対応して、送受信器として機能する８つの第２回路モジュール７５ａ，７５ｂ，７５ｃ，７５ｄ，７５ｅ，７５ｆ，７５ｇ，７５ｈが設けられている。なお、デジタル処理部７７を構成する第１回路モジュール７７ａ，７７ｂは、２つであり、電源装置を構成する第２回路モジュール７９は、一つである。
【００６１】
図６及び図７に示すアンテナシステム５０は、５つのユニット７１，７３ａ，７３ｂ，７４ｃ，７４ｄと、１１個の回路モジュール７５ａ，７５ｂ，７５ｃ，７５ｄ，７５ｅ，７５ｆ，７５ｇ，７５ｈ，７７ａ，７７ｂ，７９と、を構成要素として有している。これらの構成要素７１，７３ａ，７３ｂ，７４ｃ，７４ｄ，７５ａ，７５ｂ，７５ｃ，７５ｄ，７５ｅ，７５ｆ，７７ａ，７７ｂ，７９は、筐体９０の内部空間に配置される。
【００６２】
複数のアクティブアンテナ素子ユニット７３ａ，７３ｂ，７４ｃ，７４ｄは、パッシブアンテナユニット７１ａの下方に配置されている。アクティブアンテナ素子ユニット７３ａ，７３ｂ，７４ｃ，７４ｄは、パッシブアンテナユニット７１の奥行方向長さの範囲内において、正面寄りの位置に配置されている。パッシブアンテナユニット７１の下方かつアクティブアンテナ素子ユニット７３ａ，７３ｂ，７４ｃ，７４ｄの背面側の空間は、無線装置８０を構成する回路モジュールの配置空間の一部として活用される。
【００６３】
第１回路モジュール７７ａ，７７ｂは、アクティブアンテナ素子ユニット７３ａ、７３ｂ，７３ｃ，７３ｄとの間に前後方向に間隔をおいて配置されている。第１回路モジュール７７ａ，７７ｂは、第１放熱器として機能する背面部９２ａに接するように、ベース部９２に取り付けられる。換言すると、第１放熱器９２ａは、第１回路モジュール７７ａ，７７ｂの背面側に設けられている。なお、第１回路モジュール７７ａ，７７ｂは、第１回路モジュール７７ａ，７７ｂが有する基板（図示省略）が、背面部９２ａと並行になるように配置される。
【００６４】
第１回路モジュール７７ａ，７７ｂは、第１放熱器として機能する背面部９２ａの下部に取り付けられているため、第１放熱器９２ａ，９４は、第１回路モジュール７７ａ，７７ｂよりも上方に延びていることになる。また、第１回路モジュール７７ａ，７７ｂは、第１放熱器である背面部９２ａだけでなく、第２放熱器である左右側面部９２ｂ，９２ｃにも接しており、放熱効率が更に高くなっている。
【００６５】
複数の第２回路モジュール７５ａ，７５ｂ，７５ｃ，７５ｄ，７５ｅ，７５ｆ，７５ｇ，７５ｈのうち、第２回路モジュール７５ｇ、７５ｈは、アクティブアンテナ素子ユニット７３ａ，７３ｂ，７４ｃ，７４ｄと、第１回路モジュール７７ａ，７７ｂとの間に配置されている。第２回路モジュール７５ｇ，７５ｈは、それぞれ、第２放熱器として機能する左右側面部９２ｂ，９２ｃに接するように、ベース部９２に取り付けられる。換言すると、第２放熱器９２ｂ，９２ｃ，９５ａ，９５ｂは、第２回路モジュール７５ｇ，７５ｈの側方に設けられている。第２回路モジュール７５ｇ，７５ｈの情報には、残りの第２回路モジュール７５ａ，７５ｂ，７５ｃ，７５ｄ，７５ｅ，７５ｆが、左右側面部９２ｂ，９２ｃに接するように設けられている。変形例では、８つの第２回路モジュールが、パッシブアンテナ７１の左右に振り合分けて配置されている。第２回路モジュール７５ａ，７５ｂ，７５ｃ，７５ｄ，７５ｅ，７５ｆは、背面部９２ａにも接しているため、放熱効率がよい。
【００６６】
第３回路モジュール７９は、パッシブアンテナ７１の側方（左側方）に配置されている。変形例では、第３回路モジュール７９は、パッシブアンテナ７１と第２回路モジュール７５ａ，７５ｃ，７５ｅの間に設けられている。変形例の第３回路モジュール７９は、背面部９２ａには接しているが、左側面部９２ｂには接していない。
【００６７】
［３．付記］
なお、今回開示された実施の形態はすべての点で例示であって制限的なものではないと考えられるべきである。本発明の範囲は、上記した意味ではなく、特許請求の範囲によって示され、特許請求の範囲と均等の意味、及び範囲内でのすべての変更が含まれることが意図される。
【符号の説明】
【００６８】
５０  アンテナシステム
７１  パッシブアンテナユニット
７３ａ，７３ｂ  アクティブアンテナ素子ユニット
７１ａ，７１ｂ  第２アンテナ素子
７４ａ，７４ｂ  第１アンテナ素子
７５ａ，７５ｂ  第２回路
７７ａ，７７ｂ  第１回路
７９  第３回路
９２ａ，９４  第１放熱器
９２ｂ，９２ｃ，９５ａ，９５ｂ  第２放熱器
８０  無線装置
【図１】
2017063288.tif 000003
【図２】
2017063288.tif 000004
【図３】
2017063288.tif 000005
【図４】
2017063288.tif 000006
【図５】
2017063288.tif 000007
【図６】
2017063288.tif 000008
【図７】
2017063288.tif 000009